(57)【特許請求の範囲】
【請求項１】
カード（３０）を挿入するカード挿入口（１１）への異物挿入を防止するためのシャッター（２０）を備えたカード処理装置であって、
前記シャッター（２０）は、前記カード挿入口（１１）の右端部に配置され上端部または下端部が前記カード（３０）の挿入方向に回動可能に取り付けられた第１のサブシャッター（２１）と、
前記カード挿入口（１１）の左端部に配置され上端部または下端部が前記カード（３０）の挿入方向に回動可能に取り付けられた第２のサブシャッター（２２）と、
右端部が前記第１のサブシャッター（２１）に支持され、左端部が前記第２のサブシャッター（２２）に支持された弾性変形可能なメインシャッター（２３）と、により構成されており、
前記カード（３０）により前記第１、第２のサブシャッター（２１、２２）が同時に回動したときに、前記第１、第２のサブシャッター（２１、２２）とともに前記メインシャッター（２３）が移動して前記カード（３０）の挿入が可能な状態となるように構成されていることを特徴とするカード処理装置。
【請求項２】
前記メインシャッター（２３）は、薄板金属により構成されていることを特徴とする請求項１に記載のカード処理装置。
【請求項３】
前記メインシャッター（２３）は、前記第１、第２のサブシャッター（２１、２２）と係合する係合部（２３ｂ）を有しており、
前記第１、第２のサブシャッター（２１、２２）は、それぞれ前記メインシャッター（２３）に設けられた前記係合部（２３ｂ）と係合する被係合部（２１ｄ、２２ｄ）を有しており、
前記メインシャッター（２３）に設けられた前記係合部（２３ｂ）が前記第１、第２のサブシャッター（２１、２２）に設けられた前記被係合部（２１ｄ、２２ｄ）と摺動可能に支持されていることを特徴とする請求項１または２に記載のカード処理装置。
【請求項４】
前記メインシャッター（２３）に設けられた係合部（２３ｂ）および前記第１、第２のサブシャッター（２１、２２）に設けられた各被係合部（２１ｄ、２２ｄ）には、それぞれ前記メインシャッター（２３）に設けられた係合部（２３ｂ）が前記第１、第２のサブシャッター（２１、２２）に設けられた各被係合部（２１ｄ、２２ｄ）から抜けるのを防止するための爪部が形成されていることを特徴とする請求項３に記載のカード処理装置。
【請求項５】
前記メインシャッター（２３）に設けられた係合部（２３ｂ）は、先端へ近づくほど徐々に幅が狭くなるテーパ形状となっていることを特徴とする請求項３に記載のカード処理装置。
【発明の詳細な説明】
【技術分野】
【０００１】
本発明は、カードを挿入するカード挿入口への異物挿入を防止するためのシャッターを備えたカード処理装置に関するものである。
【背景技術】
【０００２】
この種の装置として、カード挿入口の一端部にレバー部を設け、正規カードがカード挿入口へ挿入されるときには、レバー部の傾斜した下縁部に先端を当接するカードの力を受けて、シャッター部材が板バネの不正力に対抗して回動し、シャッター部がレバー部と一体に回動して正規カードを進入させ、不良カードの進入は、シャッター部材のシャッター部で阻止するようにしたものがある（例えば、特許文献１参照）。
【特許文献１】特開平８−１０１８９６号公報
【発明の開示】
【発明が解決しようとする課題】
【０００３】
上記特許文献１に記載したような装置は、開口部の一端部に設けられたレバー部がカードの力を受けてシャッター部材を回動させる構成となっているので、正規カードと同程度の厚みで正規カードより幅の短い異物、例えば、コイン等の異物を、開口部のレバー部が設けられている部位から挿入しようとすると挿入できてしまうといった問題がある。
【０００４】
本発明は上記問題に鑑みたもので、正規カードより幅の短い異物の挿入を防止できるようにすることを目的とする。
【課題を解決するための手段】
【０００５】
上記目的を達成するため、請求項１に記載の発明は、カード（３０）を挿入するカード挿入口（１１）への異物挿入を防止するためのシャッター（２０）を備えたカード処理装置であって、シャッター（２０）は、カード挿入口（１１）の右端部に配置され上端部または下端部がカード（３０）の挿入方向に回動可能に取り付けられた第１のサブシャッター（２１）と、カード挿入口（１１）の左端部に配置され上端部または下端部がカード（３０）の挿入方向に回動可能に取り付けられた第２のサブシャッター（２２）と、右端部が第１のサブシャッター（２１）に支持され、左端部が第２のサブシャッター（２２）に支持された弾性変形可能なメインシャッター（２３）と、により構成されており、カード（３０）により第１、第２のサブシャッターが同時に回動したときに、第１、第２のサブシャッター（２１、２２）とともにメインシャッター（２３）が移動してカード（３０）の挿入が可能な状態となるように構成されていることを特徴としている。
【０００６】
このような構成によれば、第１、第２のサブシャッターを同時に回動させることができない異物、例えば、コイン等の正規カードより幅の短い異物をカード挿入口へ挿入しようとした場合、メインシャッターが弾性変形するので、第１、第２のサブシャッターを同時に回動させることができない。したがって、メインシャッターは移動することなく、このメインシャッターにより異物の挿入が阻止され、正規カードより幅の短い異物の挿入を防止することが可能である。
【０００７】
また、請求項２に記載の発明は、メインシャッター（２３）は、薄板金属により構成されていることを特徴としている。
【０００８】
薄板金属は平面方向と比較して厚み方向に大きく弾性変形する性質を有しており、メインシャッターは、このような性質を有する薄板金属により構成するのが好ましい。
【０００９】
また、請求項３に記載の発明は、メインシャッター（２３）が、第１、第２のサブシャッター（２１、２２）と係合する係合部（２３ｂ）を有しており、第１、第２のサブシャッター（２１、２２）は、それぞれメインシャッター（２３）に設けられた係合部（２３ｂ）と係合する被係合部（２１ｄ、２２ｄ）を有しており、メインシャッター（２３）に設けられた係合部（２３ｂ）が第１、第２のサブシャッターに設けられた被係合部（２１ｄ、２２ｄ）と摺動可能に支持されていることを特徴としている。
【００１０】
このような構成では、メインシャッターが、係合部が第１、第２のサブシャッターに設けられた被係合部と摺動可能に支持されているので、メインシャッターが無理なく弾性変形することができる。
【００１１】
また、請求項４に記載の発明は、メインシャッター（２３）に設けられた係合部（２３ｂ）および第１、第２のサブシャッター（２１、２２）に設けられた各被係合部（２１ｄ、２２ｄ）には、それぞれメインシャッター（２３）に設けられた係合部（２３ｂ）が第１、第２のサブシャッター（２１、２２）に設けられた各被係合部（２１ｄ、２２ｄ）から抜けるのを防止するための爪部が形成されていることを特徴としている。
【００１２】
このような構成では、メインシャッターに設けられた係合部および第１、第２のサブシャッターに設けられた各被係合部には、それぞれメインシャッターに設けられた係合部が第１、第２のサブシャッターに設けられた各被係合部から抜けるのを防止するための爪部が形成されているので、メインシャッターに設けられた係合部が第１、第２のサブシャッターに設けられた各被係合部から抜けるのを防止することができる。
【００１３】
また、請求項５に記載の発明は、メインシャッター（２３）に設けられた係合部（２３ｂ）は、先端へ近づくほど徐々に幅が狭くなるテーパ形状となっていることを特徴としている。
【００１４】
このような構成では、メインシャッターに設けられた係合部は、先端へ近づくほど徐々に幅が狭くなるテーパ形状となっているので組み付けが容易である。また、メインシャッターのバネ性を利用し、メインシャッターの係合部の先端を第１、第２のサブシャッターに設けられた各被係合部に押し付けるように組み付けることで、振動時におけるメインシャッターのガタツキやビビリ音を低減することが可能である。
【発明を実施するための最良の形態】
【００１５】
（第１実施形態）
本発明の第１実施形態に係るカード処理装置の概略構成を図１に示す。本カード処理装置１は、ＥＴＣ車載機として構成されており、樹脂製の本体ケース１０、プラスチック製のサブシャッター２１、２２、薄板金属製のメインシャッター２３、ＬＥＤ１４を備えている。
【００１６】
本体ケース１０には、ＥＴＣカードに記憶された情報の読み取りを行うカード情報読取装置、ＬＥＤ１４の点灯制御や料金所ゲート等に設置された路側アンテナとの間で路車間通信等を行う制御部等（いずれも図示せず）が内蔵されている。
【００１７】
本体ケース１０には、カードを挿入するためのカード挿入口１１が形成されており、このカード挿入口１１への異物挿入を防止するためのシャッター２０がサブシャッター２１、２２およびメインシャッター２３により構成されている。
【００１８】
本体ケース１０のカード挿入口１１の中央部には、ＥＴＣカードを押し込むための凹部１５が形成されている。ＥＴＣカードを挿入する際に、ユーザの指がこの凹部１５に入り込み、ＥＴＣカードをカード情報読取装置に完全に押し込むことができるようになっている。
【００１９】
サブシャッター２１は、カード挿入口１１の右端部に配置され、サブシャッター２２は、カード挿入口１１の左端部に配置され、いずれも下端部がカードの挿入方向に回動可能に取り付けられている。
【００２０】
メインシャッター２３は、バネ性を有する薄板金属により構成されており、右端部がサブシャッター２１に支持され、左端部がサブシャッター２２に支持されている。
【００２１】
ＬＥＤ１４は、制御部の処理結果が正常であることを表示する緑色ＬＥＤ１４ａと、制御部の処理結果が異常であることを示す赤色ＬＥＤ１４ｂにより構成されている。
【００２２】
図２に、サブシャッター２２とメインシャッター２３の一部をそれぞれ拡大した図を示す。
【００２３】
サブシャッター２２は、回転軸２２ａ、後述する図３に示す巻きバネ２２ｂを挿入するための穴部２２ｃ、メインシャッター２３の左端に形成された嵌合部２３ｂを挿入するための嵌合穴２２ｄを有している。メインシャッター２３の左端には矩形の嵌合部２３ｂが形成されており、この嵌合部２３ｂがサブシャッター２２の嵌合穴２２ｄに挿入されるようになっている。なお、メインシャッター２３の左端に形成された嵌合部２３ｂの高さＨは、サブシャッター２２に形成された嵌合穴２２ｄの高さよりも若干短くなっている。
【００２４】
サブシャッター２２と左右対称の位置に配置されるサブシャッター２１は、サブシャッター２２と左右対称の形状となっている。また、メインシャッター２３の右端には、左端と同様の嵌合部２３ｂが形成されている。
【００２５】
上記したように、メインシャッター２３の嵌合部２３ｂは、サブシャッター２１、２２に形成された各嵌合穴２１ｄ、２２ｄに固定されずに、左右方向に摺動可能に支持されている。
【００２６】
図３に、サブシャッター２１、２２およびメインシャッター２３を組み付けた場合の拡大図を示す。
【００２７】
サブシャッター２１の回転軸２１ａおよびサブシャッター２２の回転軸２２ａには、それぞれサブシャッター２１、２２をＩＣカードの進入を阻止する方向に付勢させるための巻きバネ２１ｂ、２２ｂが取り付けられている。これらの巻きバネ２１ｂ、２２ｂの一端は穴部２１ｃ、２２ｃに挿入され、他端は本体ケース１０のカード挿入口１１の内側に形成された穴部（図図示せず）に係止され、バネ力によりサブシャッター２１、２２にＩＣカードの進入を阻止する方向に付勢させる力がはたらくようになっている。
【００２８】
また、メインシャッター２３は、バネ性を有する薄板金属（例えば、板厚０．１ミリメートル程度の板バネ用ＳＵＳ鋼板）により構成されており、例えば、コイン等の異物がカード挿入口１１から挿入されようとしてメインシャッター２３に応力がかかると、メインシャッター２３が弾性変形して挿入方向へある程度たわむようになっている。
【００２９】
メインシャッター２３に形成された嵌合部２３ｂの長さＬ（図２参照）は、メインシャッター２３が弾性変形して挿入方向へ最もたわんだ状態でも、メインシャッター２３の嵌合部２３ｂがサブシャッター２１、２２の各嵌合穴２１ｄ、２２ｄから抜け落ちない程度の長さとなっている。
【００３０】
また、メインシャッター２３には、ＥＴＣカードにエンボス加工された文字、記号の引っ掛かりを防止するための切り欠き部２３ａが形成されている。なお、他の図では、この切り欠き部２３ａについて省略して示している。
【００３１】
次に、図４を参照して、ＥＴＣカードを挿入する際の作動について説明する。ＥＴＣカード３０がカード挿入口１１へ押し込まれると、カード挿入口１１の左右に設けられたサブシャッター２１、２２が巻きバネ２１ｂ、２２ｂの付勢力に対抗して回転軸２１ａ、２２ａを支点として同時に回動し、サブシャッター２１、２２とともにメインシャッター２３がＥＴＣカード３０の挿入方向に移動する。
【００３２】
図５に、このときのサブシャッター２１、２２の概略断面図を示す。図５に示すように、サブシャッター２１、２２の先端がＥＴＣカード３０の厚み方向に持ち上がる。すなわち、サブシャッター２１、２２とともにメインシャッター２３がＥＴＣカード３０の高さ方向に移動して、ＥＴＣカード３０の挿入が可能な状態となる。
【００３３】
なお、図３に示したように、メインシャッター２３には、切り欠き部２３ａが形成されているので、ＥＴＣカード３にエンボス加工された文字、記号がメインシャッター２３に引っ掛かることなく、ＥＴＣカード３０をカード情報読取装置に挿入させることができる。
【００３４】
一方、サブシャッター２１、２２を同時に回動させることができない異物、例えば、コイン等のＥＴＣカード３０より幅の短い異物、をカード挿入口１１へ挿入しようとした場合、メインシャッター２３が弾性変形してサブシャッター２１、２２を同時に回動させることができない。
【００３５】
つまり、例えば、コインがカード挿入口１１のメインシャッター２３が配置された部位へ押し付けられた場合、メインシャッター２３は、図６に示すように弾性変形して挿入方向へたわみサブシャッター２１、２２は回動しない。したがって、メインシャッター２３は回動することなく、このメインシャッター２３により異物の進入が阻止される。
【００３６】
また、コインがカード挿入口１１のサブシャッター２２が配置された部位へ押し付けられた場合には、異物を押し付けられたサブシャッター２２は、図７に示すようにＥＴＣカード３０の挿入方向に回動するが、このサブシャッター２２から離れるほどメインシャッター２３のたわみ量が徐々に小さくなり、反対側のサブシャッターを回動させるには至らないため、サブシャッター２１、２２は同時に回動しない。つまり、異物により押されたサブシャッターの回動する力がメインシャッター２３の変形により吸収され、反対側のサブシャッターに伝達されなくなるためサブシャッター２１、２２は同時に回動しない。したがって、メインシャッター２３により異物の進入が阻止される。
【００３７】
このように、サブシャッター２１、２２を同時に回動させることができない異物をカード挿入口１１へ挿入しようとしても、サブシャッター２１、２２が同時に回動しない構成となっており、カード挿入口１１への異物挿入を防止することが可能となっている。
【００３８】
上記した構成によれば、第１、第２のサブシャッター２１、２２を同時に回動させることができない異物、例えば、コイン等の正規カードより幅の短い異物をカード挿入口１１へ挿入しようとした場合、メインシャッター２３が弾性変形するので、サブシャッター２１、２２を同時に回動させることができない。したがって、メインシャッター２３は移動することなく、このメインシャッター２３により異物の挿入が阻止され、正規カードより幅の短い異物の挿入を防止することが可能である。
【００３９】
なお、メインシャッター２３は、薄板金属により構成するのが好ましい。薄板金属は平面方向と比較して厚み方向に大きく弾性変形する性質を有しており、メインシャッターは、このような性質を有する薄板金属により構成するのが好ましい。
【００４０】
また、メインシャッター２３に設けられた嵌合部２３ｂが、サブシャッター２１、２２に設けられた嵌合穴嵌合穴２１ｄ、２２ｄと摺動可能に支持されているので、メインシャッター２３が無理なく弾性変形することができる。
【００４１】
（第２実施形態）
本実施形態に係るカード処理装置におけるサブシャッター２２とメインシャッター２３の一部を拡大した図を図８に示す。また、図８中のＡ方向から見た図を図９に示す。
【００４２】
図８に示すように、メインシャッター２３に形成された嵌合部２３ｂの先端には、上方に突出した爪部２３ｃが形成されている。
【００４３】
また、図９に示すように、サブシャッター２２の嵌合穴２２ｄの入口の上部には爪部２２ｅが形成されている。なお、サブシャッター２２には、メインシャッター２３の嵌合部２３ｂをガイドするためのレール２２ｆが設けられており、このレール２２ｆに沿ってメインシャッター２３の嵌合部２３ｂが嵌合穴２２ｄに嵌め込まれるようになっている。なお、図示してないがサブシャッター２２と同様に、サブシャッター２１にも、爪部およびレールが形成されている。
【００４４】
図８に示したように、メインシャッター２３に形成された嵌合部２３ｂは、サブシャッター２１、２２の嵌合穴２１ｄ、２２ｄに固定されずに図中に示した可動域の範囲で左右方向にスライドするようになっている。また、メインシャッター２３が弾性変形してメインシャッター２３に形成された嵌合部２３ｂがサブシャッター２１、２２の嵌合穴２１ｄ、２２ｄから抜けようとすると、メインシャッター２３の爪部２３ｃとサブシャッター２１、２２の爪部２１ｅ、２２ｅとが当接してメインシャッター２３が抜けないようになっている。
【００４５】
このように、メインシャッター２３に設けられた嵌合部２３ｂおよびサブシャッター２１、２２に設けられた嵌合穴２１ｄ、２２ｄには、それぞれメインシャッター２３に設けられた嵌合部２３ｂがサブシャッター２１、２２に設けられた嵌合穴２１ｄ、２２ｄから抜けるのを防止するための爪部２１ｅ、２２ｅ、２３ｃが形成されているので、メインシャッター２３に設けられた嵌合部２３ｂがサブシャッター２１、２２に設けられた嵌合穴２１ｄ、２２ｄから抜けるのを防止することができる。
【００４６】
（第３実施形態）
本実施形態に係るカード処理装置におけるサブシャッター２２とメインシャッター２３の一部を拡大した図を図１０に示す。上記第１実施形態では、メインシャッター２３の左右両端に矩形の嵌合部２３ｂが形成されたものを示したが、本実施形態におけるメインシャッター２３の左右両端には、テーパ形状の嵌合部２３ｂが形成されている。
【００４７】
メインシャッター２３に形成された嵌合部２３ｂは、先端へ近づくほど徐々に幅が狭くなるテーパ形状となっている。そして、メインシャッター２３のバネ力を利用してメインシャッター２３の嵌合部２３ｂの先端を各サブシャッター２１、２２の嵌合穴２１ｄ、２２ｄ内に押し付けるように組み付けられている。
【００４８】
このような構成では、メインシャッター２３に設けられた嵌合部２３ｂは、先端へ近づくほど徐々に幅が狭くなるテーパ形状となっているので組み付けが容易である。また、メインシャッター２３のバネ性を利用し、メインシャッター２３の嵌合部２３ｂの先端を第１、第２のサブシャッター２１、２２に設けられた各嵌合穴２１ｄ、２２ｄに押し付けるように組み付けられているので、振動時におけるメインシャッター２３のガタツキやビビリ音を低減することが可能である。
【００４９】
（その他の実施形態）
上記実施形態では、ＥＴＣカードを挿入するカード挿入口を備えたＥＴＣ車載機について説明したが、ＥＴＣ車載機に限定されるものではなく、各種カード処理装置に適用することができる。
【００５０】
また、上記実施形態では、薄板金属を用いてメインシャッター２３を構成したものを示したが、薄板金属に限定されるものではなく、例えば、薄板樹脂を用いて構成してもよい。
【００５１】
また、上記実施形態では、メインシャッター２３に形成された嵌合部２３ｂをサブシャッター２１、２２に形成された嵌合穴２１ｄ、２２ｄに挿入してメインシャッター２３を支持する構成のものを示したが、例えば、メインシャッター２３に嵌合穴を形成しておき、サブシャッター２１、２２に形成された嵌合部をメインシャッター２３に形成された嵌合穴に挿入してメインシャッター２３を支持するようにしてもよい。
【００５２】
また、上記実施形態では、サブシャッター２１、２２およびメインシャッター２３の下端部がＥＴＣカード３０の挿入方向に回動する構成のものを示したが、例えば、サブシャッター２１、２２およびメインシャッター２３の上端部がＥＴＣカード３０の挿入方向に回動する構成としてもよい。
【図面の簡単な説明】
【００５３】
【図１】本発明の第１実施形態に係るカード処理装置の概略構成を示す図である。
【図２】サブシャッターとメインシャッターの一部をそれぞれ拡大した図である。
【図３】サブシャッターおよびメインシャッターを組み付けた場合の拡大図である。
【図４】ＥＴＣカードを挿入する際の作動について説明するための図である。
【図５】ＥＴＣカードを挿入する際の作動について説明するための図である。
【図６】ＥＴＣカードを挿入する際の作動について説明するための図である。
【図７】ＥＴＣカードを挿入する際の作動について説明するための図である。
【図８】第２実施形態に係るカード処理装置におけるサブシャッターとメインシャッターの一部を拡大した図である。
【図９】図８中のＡ方向から見た図である。
【図１０】第３実施形態に係るカード処理装置におけるサブシャッターとメインシャッターの一部を拡大した図である。
【符号の説明】
【００５４】
１    カード処理装置
１０  本体ケース
１１  カード挿入口
１４  ＬＥＤ
２１、２２  サブシャッター
２１ａ、２２ａ  回転軸
２１ｂ、２２ｂ  巻きバネ
２１ｃ、２２ｃ  穴部
２１ｄ、２２ｄ  嵌合穴
２１ｅ、２２ｅ  爪部
２２ｆ、２２ｆ  レール
２３  メインシャッター
２３ａ  切り欠き部
２３ｂ  嵌合部
３０  ＥＴＣカード
【図１】
0005012547.tif 000002
【図２】
0005012547.tif 000003
【図３】
0005012547.tif 000004
【図４】
0005012547.tif 000005
【図５】
0005012547.tif 000006
【図６】
0005012547.tif 000007
【図７】
0005012547.tif 000008
【図８】
0005012547.tif 000009
【図９】
0005012547.tif 000010
【図１０】
0005012547.tif 000011